(57)【要約】【課題】  モード設定画面をこの画面から設定されたジョブに関するジョブ情報詳細画面に切り換え表示する。【解決手段】  表示処理制御部１３は、操作パネル１１の液晶タッチパネルにモード設定画面を表示している際に、ジョブモードとジョブの実行条件との設定が行われた後、操作パネル１１の「START」スイッチが押下されると、設定されたジョブに関する実行条件の詳細な情報を表すジョブ情報詳細画面を表示する。こうすることによって、操作者は、設定したジョブの実行条件を視覚によって確認することができ、モード設定ミスを未然に防いで操作者の利便性を向上できる。【選択図】図３
2005321591.tif 000002
【特許請求の範囲】
【請求項１】
表示領域を有する表示手段と、
上記表示手段の上記表示領域に、ジョブモードおよび各ジョブモードでの各種実行条件を設定するためのモード設定画面を表示するモード設定画面表示手段と、
操作者からのジョブ開始の指示を受け付けて、上記指示に従って、上記表示領域に、操作者によって設定されたジョブモードに関する実行条件の詳細な情報を表すジョブ情報詳細画面を表示するジョブ情報詳細画面表示手段
を備えたことを特徴とする表示装置。
【請求項２】
請求項１に記載の表示装置において、
上記ジョブ情報詳細画面表示手段による上記ジョブ情報詳細画面の表示は、予め設定された所定時間だけ行われるようになっている
ことを特徴とする表示装置。
【請求項３】
請求項２に記載の表示装置において、
操作者からの指示を受け付けて、上記指示に従って、上記ジョブ情報詳細画面の表示時間を設定する表示時間設定手段
を備えたことを特徴とする表示装置。
【請求項４】
請求項２に記載の表示装置において、
操作者による次のジョブモードの設定を受付可能になったかを判別する次ジョブ受付可能判別手段と、
上記ジョブ情報詳細画面の表示時間が上記所定時間に達した場合であって、且つ、上記次ジョブ受付可能判別手段による判別結果が受付可能ではない場合に、上記設定されたジョブモードを受付中であることを表すジョブ受付中画面を表示するジョブ受付中画面表示手段
を備えたことを特徴とする表示装置。
【請求項５】
請求項１に記載の表示装置において、
操作者による次のジョブモードの設定を受付可能になったかを判別する次ジョブ受付可能判別手段を備えると共に、
上記ジョブ情報詳細画面表示手段による上記ジョブ情報詳細画面の表示は、上記次ジョブ受付可能判別手段による判別結果が、受付可能になるまで行われるようになっている
ことを特徴とする表示装置。
【請求項６】
請求項１に記載の表示装置において、
操作者からの指示を受け付けて、上記指示に従って、上記ジョブ情報詳細画面表示手段によるジョブ情報詳細画面の表示を中止させる表示中止手段
を備えたことを特徴とする表示装置。
【請求項７】
請求項６に記載の表示装置において、
操作者による次のジョブモードの設定を受付可能になったかを判別する次ジョブ受付可能判別手段と、
上記ジョブ情報詳細画面の表示を中止した場合であって、且つ、上記次ジョブ受付可能判別手段による判別結果が受付可能ではない場合に、上記設定されたジョブモードを受付中であることを表すジョブ受付中画面を表示するジョブ受付中画面表示手段
を備えたことを特徴とする表示装置。
【請求項８】
請求項１に記載の表示装置において、
上記表示手段の表示領域は、複数の分割表示領域に分割されており、
上記モード設定画面表示手段によるモード設定画面の表示は、上記複数の分割表示領域の何れか一つに対して行われるようになっており、
上記モード設定画面が表示されない分割表示領域の何れか一つに、既に設定されている総てのジョブに関する現在の状態を表すジョブ一覧を表示するジョブ一覧表示手段を備えた
ことを特徴とする表示装置。
【請求項９】
請求項１に記載の表示装置を搭載していることを特徴とする画像処理装置。
【請求項１０】
表示手段の表示領域に、ジョブモードおよび各ジョブモードでの各種実行条件を設定するためのモード設定画面を表示し、
操作者からのジョブ開始の指示に従って、上記表示領域に、操作者によって設定されたジョブモードに関する実行条件の詳細な情報を表すジョブ情報詳細画面を表示する
ことを特徴とする表示方法。
【請求項１１】
コンピュータを、
表示手段の表示領域に、ジョブモードおよび各ジョブモードでの各種実行条件を設定するためのモード設定画面を表示するモード設定画面表示手段と、
操作者からのジョブ開始の指示を受け付けて、上記指示に従って、上記表示領域に、操作者によって設定されたジョブモードに関する実行条件の詳細な情報を表すジョブ情報詳細画面を表示するジョブ情報詳細画面表示手段
として機能させることを特徴とする表示プログラム。
【請求項１２】
請求項１１に記載の表示プログラムが記録されたことを特徴とするコンピュータ読出し可能なプログラム記録媒体。
【発明の詳細な説明】
【技術分野】
【０００１】
この発明は、記憶された複数のジョブ情報に基づいてジョブに関する情報を表示する表示装置、表示方法、表示プログラム、プログラム記録媒体、および、画像処理装置に関する。
【背景技術】
【０００２】
従来、例えば、特開２００２‐１８９３８９号公報(特許文献１)のように、表示デバイスにおける表示エリアに第１の画面が表示されている場合に、上記第１の画面の一部に第２の画面をポップアップ表示するものがある。
【０００３】
しかしながら、上記従来の表示装置においては、以下のような問題がある。すなわち、上記従来の表示装置は、単に上記第２の画面をポップアップ表示するものである。したがって、上記従来の表示装置においては、上記第１の画面がモード設定画面である場合に、このモード設定画面から設定されたジョブに関する設定条件の詳細な情報を表すジョブ情報詳細画面を表示するものではない。
【０００４】
一方において、ユーザーが所望するジョブモードを設定した場合に、ジョブの設定条件が正しく入力されたのかを確認したいという要望が生ずる。
【０００５】
しかしながら、上記従来の表示装置のごとく上記第２の画面をポップアップ表示する場合には、上記第２の画面の内容は、上記第１の画面の内容の詳細情報である。そのため、上記第１の画面がモード設定画面である場合における上記第２の画面は、例えば上記第１の画面中の選択肢の詳細項目等であり、設定されたジョブに関するジョブ情報詳細画面を表示することはできないのである。
【特許文献１】特開２００２‐１８９３８９号公報
【発明の開示】
【発明が解決しようとする課題】
【０００６】
そこで、この発明の課題は、モード設定画面から設定されたジョブに関するジョブ情報詳細画面を表示できる表示装置,表示方法,表示プログラムおよびプログラム記録媒体、並びに、上記表示装置を搭載した画像処理装置を提供することにある。
【課題を解決するための手段】
【０００７】
上記課題を解決するため、この発明の表示装置は、表示領域を有する表示手段と、上記表示手段の上記表示領域にジョブモードおよび各ジョブモードでの各種実行条件を設定するためのモード設定画面を表示するモード設定画面表示手段と、操作者からのジョブ開始の指示を受け付けて、上記指示に従って、上記表示領域に、操作者によって設定されたジョブモードに関する実行条件の詳細な情報を表すジョブ情報詳細画面を表示するジョブ情報詳細画面表示手段を備えたことを特徴としている。
【０００８】
上記構成によれば、操作者が、上記モード設定画面からジョブモードおよび実行条件を設定した後にジョブ開始の指示を行うと、上記ジョブ情報詳細画面が表示される。したがって、操作者は、表示された上記ジョブ情報詳細画面によって、自分が設定したジョブモードに関する実行条件の詳細を確認することができるのである。
【０００９】
また、１実施例の表示装置では、上記ジョブ情報詳細画面表示手段による上記ジョブ情報詳細画面の表示は、予め設定された所定時間だけ行われるようになっている。
【００１０】
この実施例によれば、操作者は、自分が設定したジョブモードに関する実行条件を確認した後、表示画面を初期画面や次の画面に切り換える面倒から開放される。
【００１１】
また、１実施例の表示装置では、操作者からの指示を受け付けて、上記指示に従って、上記ジョブ情報詳細画面の表示時間を設定する表示時間設定手段を備えている。
【００１２】
操作者は、上記ジョブ情報詳細画面の表示時間を、自分が所望する時間に設定することができる。
【００１３】
また、１実施例の表示装置では、操作者による次のジョブモードの設定を受付可能になったかを判別する次ジョブ受付可能判別手段と、上記ジョブ情報詳細画面の表示時間が上記所定時間に達した場合であって、且つ、上記次ジョブ受付可能判別手段による判別結果が受付可能ではない場合に、上記設定されたジョブモードを受付中であることを表すジョブ受付中画面を表示するジョブ受付中画面表示手段を備えている。
【００１４】
この実施例によれば、操作者は、上記ジョブ情報詳細画面の表示時間が上記所定時間に達しても次のジョブモードを設定可能になっていないことを知ることができる。したがって、何故次のジョブモードが設定できないのか分からずイライラすることを防止できる。
【００１５】
また、１実施例の表示装置では、操作者による次のジョブモードの設定を受付可能になったかを判別する次ジョブ受付可能判別手段を備えると共に、上記ジョブ情報詳細画面表示手段による上記ジョブ情報詳細画面の表示は、上記次ジョブ受付可能判別手段による判別結果が、受付可能になるまで行われるようになっている。
【００１６】
この実施例によれば、操作者は、上記ジョブ情報詳細画面の表示が終了することによって、次のジョブモードを設定可能になったことを知ることができる。
【００１７】
また、１実施例の表示装置では、操作者からの指示を受け付けて、上記指示に従って、上記ジョブ情報詳細画面表示手段によるジョブ情報詳細画面の表示を中止させる表示中止手段を備えている。
【００１８】
この実施例によれば、操作者は、自分が設定したジョブモードに関する実行条件を確認した後、表示画面を速やかに次の画面に切り換えることができる。
【００１９】
また、１実施例の表示装置では、操作者による次のジョブモードの設定を受付可能になったかを判別する次ジョブ受付可能判別手段と、上記ジョブ情報詳細画面の表示を中止した場合であって、且つ、上記次ジョブ受付可能判別手段による判別結果が受付可能ではない場合に、上記設定されたジョブモードを受付中であることを表すジョブ受付中画面を表示するジョブ受付中画面表示手段を備えている。
【００２０】
この実施例によれば、操作者は、上記ジョブ情報詳細画面の表示を中止しても次のジョブモードを設定可能になっていないことを知ることができる。したがって、何故次のジョブモードが設定できないのか分からずイライラすることを防止できる。
【００２１】
また、１実施例の表示装置では、上記表示手段の表示領域は複数の分割表示領域に分割されており、上記モード設定画面表示手段によるモード設定画面の表示は上記複数の分割表示領域の何れか一つに対して行われるようになっており、上記モード設定画面が表示されない分割表示領域の何れか一つに、既に設定されている総てのジョブに関する現在の状態を表すジョブ一覧を表示するジョブ一覧表示手段を備えている。
【００２２】
この実施例によれば、操作者は、自分が設定したジョブモードに関する実行条件の確認を、同時に表示されるジョブ一覧に基づいて、既に設定されている総てのジョブに関する現在の状態と対比して行うことができる。
【００２３】
また、この発明の画像処理装置は、上記表示装置を搭載したことを特徴としている。
【００２４】
上記構成によれば、操作者が、上記モード設定画面からジョブモードおよび実行条件を設定した後にジョブ開始の指示を行うと、上記ジョブ情報詳細画面が表示される。したがって、操作者は、設定したジョブモードがコピーの基本モードである場合に、カラーや仕上げや倍率や用紙等の設定条件の詳細を確認することができるのである。
【００２５】
また、この発明の表示方法は、表示手段の表示領域に、ジョブモードおよび各ジョブモードでの各種実行条件を設定するためのモード設定画面を表示し、操作者からのジョブ開始の指示に従って、上記表示領域に、操作者によって設定されたジョブモードに関する実行条件の詳細な情報を表すジョブ情報詳細画面を表示することを特徴としている。
【００２６】
また、この発明の表示プログラムは、コンピュータを、表示手段の表示領域に、ジョブモードおよび各ジョブモードでの各種実行条件を設定するためのモード設定画面を表示するモード設定画面表示手段と、操作者からのジョブ開始の指示を受け付けて、上記指示に従って、上記表示領域に、操作者によって設定されたジョブモードに関する実行条件の詳細な情報を表すジョブ情報詳細画面を表示するジョブ情報詳細画面表示手段として機能させることを特徴としている。
【００２７】
また、この発明のプログラム記録媒体は、上記表示プログラムが記録されたことを特徴としている。
【００２８】
上記各構成によれば、操作者が、上記モード設定画面からジョブモードおよび実行条件を設定した後にジョブ開始の指示を行うと、上記ジョブ情報詳細画面が表示される。したがって、操作者は、表示された上記ジョブ情報詳細画面によって、自分が設定したジョブモードに関する実行条件の詳細を確認することができる。
【発明の効果】
【００２９】
以上より明らかなように、この発明によれば、操作者は、表示されたジョブ情報詳細画面によって、自分が設定したジョブモードに関する実行条件の詳細を確認することができるため、操作者の利便性を向上させることができる。
【発明を実施するための最良の形態】
【００３０】
以下、この発明を図示の実施の形態により詳細に説明する。図１は、本実施の形態の表示装置が搭載された画像処理装置の概略構成を示す。この画像処理装置は、大きくは、原稿の画像を読み取って画像データを生成する読取部１と、この読取部１によって得られた画像データに基づいて用紙に印字を行う印字部２と、この印字部２に用紙を供給する給紙部３を備えている。また、詳述はしないが、通信ネットワークと接続する通信Ｉ/Ｆを備えている。
【００３１】
上記読取部１では、原稿を露光・スキャンしてＣＣＤセンサ(図示せず)等によって画像信号を得、さらに、二値化処理,画質補正,変倍,画像編集等の画像処理を行い、得られた画像データを画像記憶部(図示せず)に記憶する。印字部２は、上記画像記憶部からの画像データに基づいて、イエロー(Ｙ)用の感光体ドラム４の表面に静電潜像を形成し、その静電潜像上にイエローのトナーを付着させてイエローのトナー像を形成する。同様に、マゼンタ(Ｍ)用の感光体ドラム５の表面にマゼンタのトナー像を形成し、シアン(Ｃ)用の感光体ドラム６の表面にシアンのトナー像を形成し、ブラック(Ｋ)用の感光体ドラム７の表面にブラックのトナー像を形成する。
【００３２】
そして、夫々の感光体ドラム４〜７の表面のトナー像は、給紙部３から供給されて用紙搬送路８を搬送される用紙の表面に順次転写される。そして、画像が転写された用紙は、夫々の感光体ドラム４〜７の表面から分離され、転写後の各感光体ドラム４〜７の表面はクリーニング装置(図示せず)によって清掃される。
【００３３】
ところで、上記構成を有する画像処理装置においては、図２に示すような操作者が入力を行うための操作パネル１１が、例えば、図１における上部手前側に略水平に設置されている。そして、この操作パネル１１には、画像形成,画像読取および画像送受信に関するジョブ情報を表示するための液晶タッチパネル１２が設けられている。ここで、液晶タッチパネル１２は、操作者からの操作を受け付ける機能を有しており、操作手段としても使用される。
【００３４】
図３は、本実施の形態の表示装置における機能的構成を示すブロック図である。表示処理制御部１３は、操作パネル１１の液晶タッチパネル１２にジョブ一覧の画面を表示するために、ジョブ一覧の情報等が必要な場合には、ジョブ管理部１５からジョブ一覧等の情報を得る。夫々のジョブには属性が付加されており、表示処理制御部１３は、得たジョブ一覧の付加情報とユーザー情報格納部１４に登録されているユーザー情報とを突き合わせて、液晶タッチパネル１２に対する表示を制御する。また、表示処理制御部１３は、液晶タッチパネル１２を介して,操作者と対話的に後述するジョブ情報詳細画面の表示時間の設定を行う。尚、上記「対話的に」とは、「操作者によって入力される指示を受けて上記表示時間を設定する」ことを意味する。
【００３５】
ここで、上記機能的構成を有する表示装置の具体的ハードウェア構成は、後述する各種の処理を実行するプログラムを含む各種プログラムを記憶するプログラムメモリ、各種情報を記憶するデータメモリ、通信ネットワークと接続する通信Ｉ/Ｆ、入力装置、出力装置、液晶タッチパネル１２、外部記録媒体がセットされてこの外部記録媒体をアクセスする外部補助記憶装置、上記プログラムメモリ,データメモリ,通信Ｉ/Ｆ,入力装置,出力装置,液晶タッチパネル１２および外部補助記憶装置等を制御して、画面表示処理等を実行するＣＰＵ(中央演算処理装置)等で成る。
【００３６】
すなわち、上記表示処理制御部１３及びジョブ管理部１５は上記ＣＰＵで構成され、上記ユーザー情報格納部１４は上記データメモリや外部補助記憶装置等で構成されるのである。また、上記ＣＰＵは、上述した各部１３,１５による本実施の形態に係る処理動作の他に、演算・判断処理,計時処理及び入出力処理等の各種の処理動作を行うようになっている。尚、上記各種の処理を実行するプログラムは、上記外部記録媒体や通信ネットワークから上記プログラムメモリにインストールしても差し支えない。
【００３７】
図４は、上記処理制御部１３による制御の下に実行される画面表示処理動作のフローチャートである。以下、図４に従って、画面表示処理動作について説明する。
【００３８】
ステップＳ1で、上記液晶タッチパネル１２に、種々のジョブモードを設定するためのモード設定画面が表示される。この表示されたモード設定画面からは、ジョブモードとジョブの実行に関する様々な条件との設定が可能になっている。ステップＳ2で、例えば操作パネル１１における「START」スイッチ１６が押下されたか否かを判別することによって、設定されたジョブの開始が指示されたか否かが判別される。その結果、ジョブ開始であればステップＳ3に進み、ジョブ開始でなければ上記ステップＳ1に戻ってモード設定画面の表示が続行される。ステップＳ3で、設定されたジョブに関する実行条件の詳細情報を表すジョブ情報詳細画面に切り換え表示するジョブ情報詳細表示が行われる。ここで、ジョブ情報詳細画面には、操作者による操作を受け付ける操作キーが表示されている。
【００３９】
ステップＳ4で、上記操作キーに対する操作者からの操作があるか否かを判別することによって、ジョブ情報詳細表示を中止するか否かが判別される。その結果、ジョブ情報詳細表示を中止する場合にはステップＳ8に進み、そうでなければステップＳ5に進む。ステップＳ5で、上記ジョブ情報詳細画面を一定時間継続して表示する一定時間表示設定がなされているか否かが判別される。その結果、一定時間表示設定がなされている場合にはステップＳ6に進み、そうでなければステップＳ7に進む。ステップＳ6で、上記ジョブ情報詳細画面の表示時間が経過してタイムアウトとなったか否かが判別される。その結果、タイムアウトとなった場合にはステップＳ8に進み、そうでなければ上記ステップＳ3に戻ってジョブ情報詳細表示が続行される。ステップＳ7で、例えば、上記設定されたジョブに関する設定条件をユーザー情報格納部１４に格納する処理等が終了して、次の設定ジョブの受け付けが可能な状態になったか否かが判別される。その結果、次ジョブ受付が可であれば上記ジョブ情報詳細画面の表示を中止し、上記ステップＳ1に戻ってモード設定画面の表示に移行する。一方、次ジョブ受付が不可であれば上記ステップＳ3に戻ってジョブ情報詳細表示が続行される。
【００４０】
ステップＳ8で、上記ステップＳ7の場合と同様にして、次ジョブ受付が可か否かが判別される。その結果、次ジョブ受付が可であれば上記ジョブ情報詳細画面の表示を中止し、上記ステップＳ1に戻ってモード設定画面の表示に移行する。一方、次ジョブ受付が不可であればステップＳ9に進む。ステップＳ9で、上記ステップＳ2において設定されたジョブに関する設定条件をユーザー情報格納部１４に格納している最中であることを表すジョブ受付中画面を表示するジョブ受付中表示が行われる。ステップＳ10で、上記ステップＳ7の場合と同様にして、次ジョブ受付が可か否かが判別される。その結果、次ジョブ受付が可であれば上記ジョブ受付中画面の表示を中止し、上記ステップＳ1に戻ってモード設定画面の表示に移行する。一方、次ジョブ受付が不可であれば上記ステップＳ9に戻ってジョブ受付中表示が続行される。そして、上記次ジョブ受付が可であると判別されるとモード設定画面の表示に移行するのである。
【００４１】
図５は、図４に示す画面表示処理動作において液晶タッチパネル１２に表示される種々の画面の一例を示す。尚、図５においては、画面を左右に２分割し、図中右側のエリアＡには、図４に示す画面表示処理動作による画面が表示されている。一方、図中左側のエリアＢには、ジョブ一覧が表示されている。しかしながら、ジョブ一覧の表示は必ずしも必要ではなく、エリアＡを画面全体に表示しても差し支えない。
【００４２】
図５(a)は、図４に示す画面表示処理動作のフローチャートにおける上記ステップＳ1において表示されるモード設定画面(エリアＡ)の一例を示す。このモード設定画面からは、ジョブ「コピー」に関する様々なモード(「基本」モード,「原稿→コピー」モード,「写真/濃度」モード,「応用」モード)の設定が可能である。
【００４３】
図５(b)は、図４に示す画面表示処理動作のフローチャートにおける上記ステップＳ3において表示されるジョブ情報詳細画面(エリアＡ)の一例を示す。このジョブ情報詳細画面は、図５(a)に示すモード設定画面において、「基本」モードが設定され、さらに「オートカラー」,「ノンソート」,「×１.０００」および「Ａ４横向き」の実行条件が設定された後に、操作パネル１１の「START」キー１６が押下されることによって表示される。この場合、今回設定されたジョブのジョブナンバーが１０であることも表示されている。そして、それに合わせてジョブ一覧画面(エリアＢ)におけるジョブナンバー１０のジョブが「コピー」となり、その状態が「読込み中」となっている。尚、本実施の形態においては、操作パネル１１の「START」スイッチ１６の押下によってジョブが開始されるようにしているが、モード設定画面中に表示された操作キーの操作によってジョブが開始されるようにすることも可能である。
【００４４】
図５(c)は、図４に示す画面表示処理動作のフローチャートにおける上記ステップＳ9において表示されるジョブ受付中画面(エリアＡ)の一例を示す。図５(b)に示すジョブ情報詳細画面の状態において、上記操作キーである「閉じる」キー１７が操作されると、その時点ではジョブの状態が「読込み中」であるため、「読込み中」であることを表すジョブ受付中画面が表示されるのである。したがって、操作者は、現在、先に設定した「基本」モードに関する設定情報がユーザー情報格納部１４に格納されている最中であることを知ることができる。
【００４５】
尚、図５(c)に示すジョブ受付中画面が表示されている際に、ユーザー情報格納部１４に対する設定情報の格納処理が終了して次の設定ジョブの受付が可能になると、液晶タッチパネル１２の表示画面は、図５(a)に示すモード設定画面に切り換わるのである。
【００４６】
以上のように、本実施の形態においては、図５(a)に示すモード設定画面において、ジョブモードと実行条件とを設定した後にジョブの開始を指示すると、図５(b)に示すようなジョブ情報詳細画面を表示するようにしている。したがって、操作者は、設定したジョブの実行条件の詳細情報を視覚によって確認することができ、モード設定ミスを未然に防いで操作者の利便性を向上することができるのである。
【００４７】
ところで、上述したように、図４に示す画面表示処理動作のフローチャートにおける上記ステップＳ5において一定時間表示設定がなされていると判別され、上記ステップＳ6においてタイムアウトとなったと判別されると、自動的にジョブ情報詳細画面の表示を終了するようにしている。この場合における一定時間表示設定の有無の判定は次のようにして行われる。
【００４８】
図６は、上記液晶タッチパネル１２に表示される上記ジョブ情報詳細表示を行う際の条件を設定するためのジョブ情報詳細表示条件設定画面の一例を示す。図６において、「一定時間」キー２１を操作(例えば、指でタッチ)した後、「３秒」キー２２を操作することによって、ジョブ情報詳細画面の表示時間が３秒に設定される。「１０秒」キー２３および「３０秒」キー２４の場合も同様である。また、「次ジョブ受付可」キー２５を操作すると、一定時間表示設定がなされずに、ジョブ情報詳細画面の表示を次ジョブが受付可能になるまで行うように設定される。
【００４９】
したがって、図４に示す画面表示処理動作のフローチャートにおける上記ステップＳ5においては、「一定時間」キー２１が操作されているか否かによって一定時間表示設定がなされているか否かの判別を行うのである。
【００５０】
尚、本実施の形態においては、上記ジョブ情報詳細表示条件設定画面の各キー２１〜２５を操作することによってジョブ情報詳細表示の条件を設定するようにしているが、この発明はこれに限定されるものではない。例えば、ジョブ情報詳細表示条件設定モードを別途設定して、このジョブ情報詳細表示条件設定モードにおいて、上記ジョブ情報詳細の表示条件を表示デバイス１２外に設けられた例えばテンキー２６等の押下スイッチ等によって入力するようにしてもよい。
【００５１】
また、本実施の形態においては、図５(a)においてエリアＡに表示されているモード設定画面が、図５(b)においてジョブ情報詳細画面に切り替え表示するようにしている。しかしながら、この発明はこれに限定されるのもではない。例えば、図５(a)のごとくエリアＡにモード設定画面を表示している状態でジョブの開始が指示されると、上記モード設定画面が表示されているエリアＡとは異なるエリアＢに、ジョブ情報詳細画面を表示するようにしても差し支えない。
【図面の簡単な説明】
【００５２】
【図１】この発明の表示装置が搭載された画像処理装置の概略構成を示す図である。
【図２】操作パネルの外観図である。
【図３】この発明の表示装置におけるブロック図である。
【図４】画面表示処理動作のフローチャートである。
【図５】モード設定画面,ジョブ情報詳細画面およびジョブ受付中画面の一例を示す図である。
【図６】ジョブ情報詳細表示条件設定画面の一例を示す図である。
【符号の説明】
【００５３】
１…読取部、
２…印字部、
３…給紙部、
４,５,６,７…感光体ドラム、
８…用紙搬送路、
１１…操作パネル、
１２…液晶タッチパネル、
１３…表示処理制御部、
１４…ユーザー情報格納部、
１５…ジョブ管理部、
１６…「START」スイッチ、
１７…「閉じる」キー、
２１…「一定時間」キー、
２５…「次ジョブ受付可」キー。
【図１】
2005321591.tif 000003
【図２】
2005321591.tif 000004
【図３】
2005321591.tif 000005
【図４】
2005321591.tif 000006
【図５】
2005321591.tif 000007
【図６】
2005321591.tif 000008